(57)【要約】【課題】誤検知を低減しつつ確実に、ユーザが所望する選択対象画像に対する選択操作を受け付けることができる操作装置および光ディスク再生装置を提供する。【解決手段】本発明の一実施形態に係る操作装置１は、光ディスク１００から読み出された複数の選択対象画像を含む画像に対するユーザの選択操作を受け付ける操作装置１であって、固有領域情報取得部３２、検知領域設定部３３および操作受付部３４を備える。固有領域情報取得部３２は、選択対象画像のそれぞれについて、光ディスク１００に記録された固有領域の情報を取得する。検知領域設定部３３は、固有領域どうしが第１の所定距離未満に近接している選択対象画像については、近接方向の幅を縮小した領域を検知領域として設定する。また、検知領域設定部３３は、設定した検知領域どうしの近接方向の間の領域を非検知領域に設定する。【選択図】  図１
2015219572.tif 000002
【特許請求の範囲】
【請求項１】
光ディスクから読み出された複数の選択対象画像を含む画像に対するユーザの選択操作を受け付ける操作装置であって、
前記選択対象画像のそれぞれについて、前記光ディスクに記録された固有領域の情報を取得する固有領域情報取得部と、
前記選択対象画像に対する選択操作を受け付けるための検知領域を前記固有領域の情報を用いて設定する場合、前記固有領域どうしの間が第１の所定距離未満に近接している選択対象画像については、近接する複数の前記固有領域の少なくとも一方について近接方向の幅を縮小した領域を各選択対象画像の検知領域として設定するとともに設定したこれらの検知領域どうしの近接方向の間の領域を非検知領域に設定する一方、他の選択対象画像については前記固有領域と同一の領域を検知領域として設定する検知領域設定部と、
前記画像内の前記検知領域に対するユーザの選択操作を受け付ける一方、前記画像内の前記非検知領域に対するユーザの選択操作を無視する操作受付部と、
を備えた操作装置。
【請求項２】
前記検知領域設定部は、
前記非検知領域が前記第１の所定距離以上の所定距離となるよう、前記近接する複数の前記固有領域の少なくとも一方について近接方向の幅を縮小して前記検知領域を設定する、
請求項１記載の操作装置。
【請求項３】
前記検知領域設定部は、
前記固有領域の中心位置を含むように前記検知領域を設定する、
請求項１または２に記載の操作装置。
【請求項４】
前記検知領域設定部は、
前記他の選択対象画像のうち、対応する固有領域に対して前記第１の所定距離より大きい第２の所定距離以内に近接する他の固有領域が存在しない選択対象画像については、前記他の固有領域が存在しない方向に固有領域の幅を拡大して前記検知領域を設定する、
請求項１ないし３のいずれか１項に記載の操作装置。
【請求項５】
前記検知領域に対するユーザの選択操作を受け付けるための入力部と、前記画像を表示するための表示部と、を有するタッチパネル、
をさらに備えた請求項１ないし４のいずれか１項に記載の操作装置。
【請求項６】
複数の選択対象画像を含む画像のデータを光ディスクから取得し、前記画像を表示部に表示させる画像出力部と、
前記選択対象画像のそれぞれについて、前記光ディスクに記録された固有領域の情報を取得する固有領域情報取得部と、
前記選択対象画像に対する選択操作を受け付けるための検知領域を前記固有領域の情報を用いて設定する場合、前記固有領域どうしの間が第１の所定距離未満に近接している選択対象画像については、近接する複数の前記固有領域の少なくとも一方について近接方向の幅を縮小した領域を各選択対象画像の検知領域として設定するとともに設定したこれらの検知領域どうしの前記近接方向の間の領域を非検知領域に設定する一方、他の選択対象画像については前記固有領域と同一の領域を検知領域として設定する検知領域設定部と、
前記画像内の前記検知領域に対するユーザの選択操作を受け付ける一方、前記画像内の前記非検知領域に対するユーザの選択操作を無視する操作受付部と、
前記画像内の前記検知領域に対するユーザの選択操作が受け付けられると、この検知領域に対応する前記選択対象画像に対する選択操作に関連付けられた動作に必要な情報を前記光ディスクから読み出し前記動作を実行する実行部と、
を備えた光ディスク再生装置。
【発明の詳細な説明】
【技術分野】
【０００１】
本発明の実施形態は、操作装置および光ディスク再生装置に関する。
【背景技術】
【０００２】
複数のボタンなどの選択対象画像が１つの画像内に表示される場合において、これらの選択対象画像の１つに対してユーザが選択操作を試みる場合がある。この場合、複数の選択対象画像どうしが近接していると、ユーザは所望の選択対象画像とは異なる選択対象画像を選択操作してしまう可能性がある。
【０００３】
そこで、複数の選択対象画像が近接して表示される場合において、ユーザによる誤操作を防ぐための種々の技術が開発されている。たとえば、特許文献１に記載の技術では、近接する２つのボタンの境界付近に対する選択操作があると、２つのボタンのうちサイズの小さい方のボタンの選択操作を受け付けるようになっている。
【０００４】
これは、大きいボタンに対する選択操作を所望するのであれば、境界付近ではなく大きいボタンの中央付近を押すはずであるという推定にもとづく動作である。このため、大きいボタンに対して選択操作を行うことが難しいと考えられる小さいボタンに対する選択操作の受け付けの確率を向上させることができる。
【０００５】
また、特許文献２に記載の技術では、タッチパネルに対するユーザによる押圧位置のずれに応じて、操作ボタンに対する選択操作の認識領域をシフトさせる。このため、ボタンから外れた位置を押圧した場合であっても選択操作を受け付けることができ、選択操作の受け付け確率を向上させることができる。
【０００６】
また、特許文献３に記載の技術では、タッチパネル上のボタンに対してユーザの指などの接近を検知すると、接近に合わせてボタン画像を拡大表示することによって選択操作の受け付け確率を向上させることができる。
【先行技術文献】
【特許文献】
【０００７】
【特許文献１】特開２０１３−２２２２９０号公報
【特許文献２】特開２０１１−１７５４５６号公報
【特許文献３】特開２０１０−９２２１９号公報
【発明の概要】
【発明が解決しようとする課題】
【０００８】
しかし、特許文献１に記載の技術では、ユーザの真意を確かめぬままに一方的に小さいボタンの選択を意図していると勝手に推定してしまう。また、特許文献２に記載の技術では、ボタンから外れた位置を押圧した場合であっても選択操作を受け付けることがある。このため、特許文献１および２に記載の技術では、これらの技術を用いない場合に比べ、ユーザが全く意図していない選択操作を誤検知してしまう可能性が高くなってしまう。
【０００９】
選択操作が誤検知された場合、ユーザはもとの選択受け付け画面を表示させるために、「戻る」ボタンを押下するなどの手間をかけなければならず面倒である。特に、選択操作を誤検知したボタンに関連付けられた動作が複雑な処理を要する動作である場合、もとの選択受け付け画面に復帰するまでに多くの時間がかかってしまい、大変不便である。
【００１０】
また、特許文献３に記載の技術では、タッチパネルに対する近接判定を行う必要があり、一般的なタッチパネルに比べて複雑な装置が必要となってしまう。
【課題を解決するための手段】
【００１１】
本発明の一実施形態に係る操作装置は、上述した課題を解決するために、光ディスクから読み出された複数の選択対象画像を含む画像に対するユーザによる選択操作を受け付ける操作装置であって、固有領域情報取得部、検知領域設定部および操作受付部を備えたものである。固有領域情報取得部は、選択対象画像のそれぞれについて、光ディスクに記録された固有領域の情報を取得する。検知領域設定部は、選択対象画像に対する選択操作を受け付けるための検知領域を設定する。検知領域設定部は、固有領域どうしの間が第１の所定距離未満に近接している選択対象画像については、近接する複数の固有領域の少なくとも一方について近接方向の幅を縮小した領域を各選択対象画像の検知領域として設定する。また、検知領域設定部は、設定したこれらの検知領域どうしの近接方向の間の領域を非検知領域に設定する。検知領域設定部は、他の選択対象画像については固有領域と同一の領域を検知領域として設定する。操作受付部は、画像内の検知領域に対するユーザの選択操作を受け付ける一方、画像内の非検知領域に対するユーザの選択操作を無視する。
【図面の簡単な説明】
【００１２】
【図１】本発明の一実施形態に係る操作装置を含む光ディスク再生装置の一例を示すブロック図。
【図２】複数の選択対象画像を含む動画メニュー画像の一例を示す説明図。
【図３】光ディスクに記録された固有領域について説明するための図。
【図４】（ａ）は本実施形態に係る検知領域と固有領域の関係の一例を示す説明図、（ｂ）は本実施形態に係る非検知領域と検知領域の関係の一例を示す説明図。
【図５】（ａ）は近接方向に直交する方向の領域幅を維持して固有領域から検知領域を設定する場合の一例を示す説明図、（ｂ）は、（ａ）に示す例において近接する固有領域がない固有領域の縁部の位置を維持して検知領域を設定する場合の一例を示す説明図、（ｃ）は（ｂ）に示す例において近接方向が複数方向である固有領域から検知領域を設定する場合の一例を示す説明図。
【図６】固有領域の幅を拡大して検知領域を設定する様子の一例を示す説明図。
【図７】（ａ）は図３に示す固有領域に対して図５（ｃ）および図６に示す方法を適用することにより検知領域を設定した場合の動画メニュー画像の一例を示す説明図、（ｂ）は、図７（ａ）に示す動画メニュー画像に対してポインタ画像を介した入力操作が行われる場合の一例を示す説明図。
【図８】図１に示す操作装置により、誤検知を低減しつつ確実に、ユーザが所望する選択対象画像に対する選択操作を受け付けることができるよう検知領域および非検知領域を設定する際の手順の一例を示すフローチャート。
【発明を実施するための形態】
【００１３】
本発明に係る操作装置および光ディスク再生装置の実施の形態について、添付図面を参照して説明する。
【００１４】
図１は、本発明の一実施形態に係る操作装置１を含む光ディスク再生装置１０の一例を示すブロック図である。
【００１５】
本実施形態に係る操作装置１は、光ディスク１００に記録された選択対象画像に対するユーザの選択操作を受け付けるものである。光ディスク１００としては、たとえばＤＶＤ−ｖｉｄｅｏ規格などの所定の光ディスク規格に準拠した光ディスクを用いることができる。
【００１６】
光ディスク再生装置１０は、タッチパネル１１および制御部１２を有する。タッチパネル１１は、表示部２１と、表示部２１の近傍に設けられたタッチセンサにより構成される入力部２２とを有する。表示部２１は、たとえば液晶ディスプレイやＯＬＥＤ（Organic Light Emitting Diode）ディスプレイなどの一般的な表示出力装置により構成される。表示部２１は、制御部１２に制御されて、少なくとも安全運転を促す警告情報を表示する。
【００１７】
入力部２２は、ユーザによるタッチセンサ上の指示位置の情報を制御部１２に与える。たとえば投影型の静電容量方式のパネルにより構成される場合、入力部２２は、縦横に配置した電極列を有する。この場合、入力部２２は、接触物の接触位置付近の静電容量の変化に応じた電極列の出力変化にもとづいて接触位置を取得することができる。
【００１８】
たとえば、ユーザが表示部２１に表示された画像上のソフトキーの１つを押下する操作を意図した場合、ユーザは画面上のこのソフトキー相当部に指などの身体の一部を接触する。入力部２２は、この接触動作から得た接触位置の情報を、ユーザの指示位置の情報として取得し、制御部１２に与える。
【００１９】
なお、入力部２２は、上下左右それぞれの方向指示用ハードキーおよび選択用ハードキーにより構成されてもよい。この場合、ユーザは方向指示用ハードキーを操作することにより表示部２１に表示されるポインタの位置を変更するとともに、選択用ハードキーの押下によりポインタが指し示す選択対象画像に対する選択操作を制御部１２に与えることができる。また、たとえば光ディスク再生装置１０が自動車などの車両に設けられる場合には、ハンドルに設けられたステアリングリモコンを入力部２２として用いてもよい。
【００２０】
制御部１２は、たとえばＣＰＵ、ＲＡＭ、ＲＯＭを備えたマイクロコントローラにより構成される。制御部１２のＣＰＵは、ＲＯＭなどの記憶媒体に記憶された検知領域設定プログラムおよびこのプログラムの実行のために必要なデータをＲＡＭへロードする。ＣＰＵは、検知領域設定プログラムに従って、誤検知を低減しつつ確実にユーザが所望する選択対象画像に対する選択操作を受け付けるための処理を実行する。
【００２１】
制御部１２のＲＡＭは、ＣＰＵが実行するプログラムおよびデータを一時的に格納するワークエリアを提供する。制御部１２のＲＯＭなどの記憶媒体は、検知領域設定プログラムや、これらのプログラムを実行するために必要な各種データを記憶する。
【００２２】
なお、ＲＯＭをはじめとする記憶媒体は、磁気的もしくは光学的記録媒体または半導体メモリなどの、ＣＰＵにより読み取り可能な記録媒体を含んだ構成を有する。これら記憶媒体内のプログラムおよびデータの一部または全部は、図示しないネットワーク接続部を介して電子ネットワークを介してダウンロードされるように構成してもよい。
【００２３】
なお、この場合、ネットワーク接続部は、ネットワークの形態に応じた種々の情報通信用プロトコルを実装し、この各種プロトコルに従って制御部１２と他の電気機器とを電子ネットワークを介して接続する。この接続には、電子ネットワークを介した電気的な接続などを適用することができる。ここで電子ネットワークとは、電気通信技術を利用した情報通信網全般を意味し、無線／有線ＬＡＮ（Local Area Network）やインターネット網のほか、電話通信回線網、光ファイバ通信ネットワーク、ケーブル通信ネットワークおよび衛星通信ネットワークなどを含む。
【００２４】
図１に示すように、制御部１２のＣＰＵは、検知領域設定プログラムによって、少なくとも画像出力部３１、固有領域情報取得部３２、検知領域設定部３３、操作受付部３４および実行部３５として機能する。この各部３１−３５は、ＲＡＭの所要のワークエリアをデータの一時的な格納場所として利用する。なお、これらの機能実現部は、ＣＰＵを用いることなく回路などのハードウエアロジックによって構成してもよい。
【００２５】
画像出力部３１は、複数の選択対象画像を含む画像のデータを光ディスク１００から取得し、この画像を表示部２１に表示させる。この種の画像としては、たとえば複数の選択対象画像を含むメニュー画像などがあげられる。以下、この種の画像として動画再生のための選択対象画像（リンク）を複数含む動画メニュー画像を用いて説明する。
【００２６】
図２は、複数の選択対象画像４１を含む動画メニュー画像４２の一例を示す説明図である。図２には、各選択対象画像４１が文字列により構成される場合の例について示したが、ボタンなどの図形により構成されてもよい。
【００２７】
複数の選択対象画像４１のうち、たとえば「1. Movie Title 1」は、ユーザの選択操作に対して、光ディスク１００に記録されているMovie Title 1の動画の再生動作が関連付けられている。また、「Main Menu」は、ユーザの選択操作に対して光ディスク１００に記録されているMain menu画像の表示動作が関連付けられている。
【００２８】
図３は、光ディスク１００に記録された固有領域４３について説明するための図である。
【００２９】
固有領域情報取得部３２は、選択対象画像４１のそれぞれについて、光ディスク１００に記録された固有領域４３の情報を取得する。各選択対象画像４１は、それぞれ対応する固有領域４３を有する。この固有領域４３の情報は、選択対象画像４１の情報と関連付けて光ディスク１００にあらかじめ記録されている。
【００３０】
一般に、固有領域４３は、各選択対象画像４１に対するユーザの選択操作を受け付けるための検知領域として扱われる。しかし、固有領域４３を検知領域としてあつかう場合、固有領域４３が近接しており固有領域４３どうしの距離ｄが小さいと、ユーザが意図しない選択対象画像４１に対する選択操作を誤検出してしまう場合がある。
【００３１】
図３に示す例では、たとえばユーザがMovie Title 3の動画の再生を意図していたにもかかわらずMovie Title 2に対応する選択対象画像４１に触れてしまった場合、Movie Title 2の動画の再生が始まってしまう。この場合、動画の再生を停止して再度動画メニュー画像４２を表示させるためのいわゆる復帰操作の手間がかかってしまう。また、動画の読み込みから再生までの待ち時間においてシステムビジーとなり復帰操作を受け付けることができない場合がある。
【００３２】
また、図３に示す例において、ユーザがMain menu画像を表示させることを意図して「Main Menu」の選択操作を行う場合、「Main Menu」の固有領域４３が小さいために選択操作に失敗してしまう可能性がある。
【００３３】
そこで、本実施形態に係る操作装置１の検知領域設定部３３は、画一的に固有領域４３を検知領域とするのではなく、近接する固有領域４３どうしの距離ｄに応じて各選択対象画像４１の検知領域および非検知領域を設定する。この結果、選択操作の誤検出を極力低減することにより復帰操作にかかる手間を未然に防ぎつつユーザが所望する選択対象画像４１に対する選択操作を確実に受け付けることができるようになる。以下、詳細に説明する。
【００３４】
図４（ａ）は本実施形態に係る検知領域４４と固有領域４３の関係の一例を示す説明図であり、（ｂ）は本実施形態に係る非検知領域４５と検知領域４４の関係の一例を示す説明図である。
【００３５】
検知領域設定部３３は、近接する固有領域４３どうしの距離ｄに応じて各選択対象画像４１の検知領域４４および非検知領域４５を設定する。
【００３６】
具体的には、検知領域設定部３３は、固有領域４３どうしの距離ｄが第１の所定距離Ｄｔ１未満である選択対象画像４１については、近接する複数の固有領域４３の少なくとも一方について少なくとも近接方向の幅を縮小した領域を各選択対象画像の検知領域４４として設定する。また、検知領域設定部３３は、設定したこれらの検知領域４４どうしの近接方向の間の領域を非検知領域４５として設定する。非検知領域４５の近接方向の幅は、第１の所定距離Ｄｔ１以上の所定距離となるように設定してもよい。
【００３７】
図４（ａ）は、近接する複数の固有領域４３のそれぞれ同一の割合（たとえば８０％など）で当方向に縮小した領域を検知領域４４として設定する場合の例について示した。図３と図４（ｂ）を比較すると、検知領域設定部３３により設定された検知領域４４どうしの距離は、固有領域４３どうしの距離よりも大きくっていることがわかる。また、検知領域４４どうしの間の領域は、非検知領域４５として設定されている。
【００３８】
図５（ａ）は近接方向に直交する方向の領域幅を維持して固有領域４３から検知領域４４を設定する場合の一例を示す説明図である。図５（ｂ）は、図５（ａ）に示す例において近接する固有領域４３がない固有領域４３の縁部（図中「1. Movie Title 1」の上辺）の位置を維持して検知領域４４を設定する場合の一例を示す説明図である。図５（ｃ）は図５（ｂ）に示す例において近接方向が複数方向である固有領域４３（図中「5. Movie Title 5」および「6. Movie Title 6」参照）から検知領域４４を設定する場合の一例を示す説明図である。
【００３９】
なお、図５（ａ）―（ｃ）において非検知領域４５の図示を省略したが、検知領域設定部３３は、少なくとも検知領域４４の間の領域を非検知領域４５として設定する。
【００４０】
また、検知領域４４および非検知領域４５の設定方法は図４および図５（ａ）−（ｃ）に示す例に限られない。また、検知領域４４の形状は矩形でなくても構わない。
【００４１】
また、検知領域設定部３３は、第１の所定距離Ｄｔ１より大きい第２の所定距離Ｄｔ２以内に近接する他の固有領域４３が存在しない選択対象画像４１があると、他の固有領域４３が存在しない方向に固有領域４３の幅を拡大して検知領域４４として設定する。
【００４２】
図６は、固有領域４３の幅を拡大して検知領域４４を設定する様子の一例を示す説明図である。
【００４３】
固有領域４３を拡大した領域として検知領域４４を設定することにより、ユーザは当該検知領域４４に対応する選択対象画像４１を容易に選択することができる。
【００４４】
また、検知領域設定部３３は、他の選択対象画像４１については固有領域４３と検知領域４４とを同一の領域に設定する。
【００４５】
なお、検知領域設定部３３は、固有領域４３の面積が所定の面積よりも大きい場合には、第２の所定距離Ｄｔ２以内に近接する他の固有領域４３が存在しない場合であっても固有領域４３と検知領域４４とを同一の領域としてもよい。
【００４６】
検知領域４４を画像として表示しない場合、ユーザは、選択対象画像４１（たとえば文字列）と検知領域４４とが大きくずれていると違和感を覚えるおそれがある。そこで、検知領域設定部３３は、たとえば固有領域４３の中心位置を含むように検知領域４４を設定するとよい。
【００４７】
図７（ａ）は、図３に示す固有領域４３に対して、図５（ｃ）および図６に示す方法を適用することにより検知領域４４を設定した場合の動画メニュー画像４２の一例を示す説明図である。図７（ｂ）は、図７（ａ）に示す動画メニュー画像４２に対し、ポインタ画像を介した入力操作が行われる場合の一例を示す説明図である。なお、図７（ａ）および（ｂ）において非検知領域４５の図示を省略したが、検知領域設定部３３は、少なくとも検知領域４４の間の領域を非検知領域４５として設定する。
【００４８】
図３と図７を比較して明らかなように、検知領域設定部３３により設定された検知領域４４どうしの距離は、固有領域４３どうしの距離よりも大きくとることができる。また、検知領域４４どうしの間の領域は、非検知領域４５として設定されている。このため、誤検出の確率を大幅に低減しつつ、ユーザの選択操作を意図どおりに確実に受け付けることができる。また、第２の所定距離Ｄｔ２以内に近接する他の固有領域４３が存在しない選択対象画像４１については、固有領域４３の幅を拡大した領域が検知領域４４として設定されている。このため、面積の小さい選択対象画像４１に対しても、ユーザは容易に選択操作を行うことができる。
【００４９】
操作受付部３４は、動画メニュー画像４２内の検知領域４４に対するユーザの選択操作については受け付ける一方、動画メニュー画像４２内の非検知領域４５に対するユーザの選択操作については無視する。
【００５０】
実行部３５は、動画メニュー画像４２内の検知領域４４に対するユーザの選択操作が受け付けられると、この検知領域４４に対応する選択対象画像４１に対する選択操作に関連付けられた動作に必要な情報を光ディスク１００から読み出す。そして、実行部３５は、光ディスク１００から読みだした情報を用いて選択対象画像４１に対する選択操作に関連付けられた動作を実行する。
【００５１】
たとえば、「1. Movie Title 1」の検知領域４４に対するユーザの選択操作が受け付けられると、実行部３５は、「1. Movie Title 1」に対する選択操作に関連付けられたMovie Title 1の動画の再生動作に必要な情報（Movie Title 1の動画データ）を光ディスク１００から読み出し、Movie Title 1の動画の再生を開始する。
【００５２】
次に、本実施形態に係る操作装置および光ディスク再生装置の動作の一例について説明する。
【００５３】
図８は、図１に示す操作装置１により、誤検知を低減しつつ確実に、ユーザが所望する選択対象画像４１に対する選択操作を受け付けることができるよう検知領域４４および非検知領域４５を設定する際の手順の一例を示すフローチャートである。図８において、Ｓに数字を付した符号はフローチャートの各ステップを示す。
【００５４】
この手順は、画像出力部３１が、複数の選択対象画像４１を含む動画メニュー画像４２のデータを光ディスク１００から取得し、この画像を表示部２１に表示させてスタートとなる。
【００５５】
まず、ステップＳ１において、固有領域情報取得部３２は、各選択対象画像４１について、光ディスク１００に記録された固有領域４３の情報を取得する。
【００５６】
次に、ステップＳ２において、検知領域設定部３３は、ステップＳ１で得られた固有領域４３について、第１の所定距離Ｄｔ１未満に近接する他の固有領域４３があるか否かを判定する。
【００５７】
第１の所定距離Ｄｔ１未満に近接する他の固有領域４３がある場合（ステップＳ２のＹＥＳ）、近接する複数の固有領域４３の少なくとも一方について少なくとも近接方向の幅を縮小した領域を各選択対象画像の検知領域４４として設定する（ステップＳ３）。また、検知領域設定部３３は、設定した検知領域４４どうしの近接方向の間の領域を非検知領域４５として設定する（ステップＳ４）。
【００５８】
一方、第１の所定距離Ｄｔ１未満に近接する他の固有領域４３がない場合（ステップＳ２のＮＯ）、ステップＳ５において、検知領域設定部３３は、ステップＳ１で得られた固有領域４３について、第１の所定距離Ｄｔ１より大きい第２の所定距離Ｄｔ２以内に近接する他の固有領域４３が存在するか否かを判定する。
【００５９】
第２の所定距離Ｄｔ２以内に近接する他の固有領域４３が存在しない場合（ステップＳ５のＮＯ）、他の固有領域４３が存在しない方向に固有領域４３の幅を拡大して検知領域４４として設定する（ステップＳ６）。また、検知領域設定部３３は、設定した検知領域４４どうしの近接方向の間の領域を非検知領域４５として設定する（ステップＳ４）。
【００６０】
他方、第２の所定距離Ｄｔ２以内に近接する他の固有領域４３が存在する場合（ステップＳ５のＹＥＳ）、検知領域設定部３３は、固有領域４３と検知領域４４とを同一の領域に設定し（ステップＳ７）、設定した検知領域４４どうしの近接方向の間の領域を非検知領域４５として設定する（ステップＳ４）。
【００６１】
ステップＳ１からＳ７を全ての固有領域４３について実行することにより、全ての選択対象画像４１に対して検知領域４４を設定し、非検知領域４５を設定することができる。
【００６２】
以上の手順により、誤検知を低減しつつ確実に、ユーザが所望する選択対象画像４１に対する選択操作を受け付けることができるよう検知領域４４および非検知領域４５を設定することができる。なお、画像出力部３１は、図８に示す一連の手順が終了してから動画メニュー画像４２を表示部２１に表示させてもよい。
【００６３】
本実施形態に係る操作装置１および光ディスク再生装置１０は、固有領域４３が近接していると、検知領域４４どうしの間を広げるとともに非検知領域４５とすることができる。このため、誤検出の確率を大幅に低減しつつ、ユーザの選択操作を意図どおりに確実に受け付けることができる。誤検出の確率を大幅に低減することにより、ユーザは意図しない遷移からの復帰操作を行う手間を省くことができ、大変便利である。
【００６４】
また、操作装置１および光ディスク再生装置１０は、固有領域４３が孤立している場合には、検知領域４４を拡大することができる。このため、孤立した小さい選択対象画像４１に対して、ユーザは容易に選択操作を行うことができる。
【００６５】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
１  操作装置
１０  光ディスク再生装置
１１  タッチパネル
１２  制御部
２１  表示部
２２  入力部
３１  画像出力部
３２  固有領域情報取得部
３３  検知領域設定部
３４  操作受付部
４１  選択対象画像
４２  動画メニュー画像（複数の選択対象画像を含む画像）
４３  固有領域
４４  検知領域
４５  非検知領域
１００  光ディスク
【図１】
2015219572.tif 000003
【図２】
2015219572.tif 000004
【図３】
2015219572.tif 000005
【図４】
2015219572.tif 000006
【図５】
2015219572.tif 000007
【図６】
2015219572.tif 000008
【図７】
2015219572.tif 000009
【図８】
2015219572.tif 000010